(57)【要約】【課題】電子機器自身でコンテンツを受信および削除できるとともに、情報処理装置とコンテンツを共有することができる電子機器、およびコンテンツ共有システムを提供する。【解決手段】情報処理装置のコンテンツ管理アプリケーションは、電子機器と情報処理装置とをＵＳＢケーブルを介して接続することで同期を開始する（Ｓ１）。次に、情報処理装置のコンテンツ管理アプリケーションは、電子機器からコンテンツリストデータを取得する（Ｓ２）。電子機器のコンテンツリストデータと情報処理装置のコンテンツリストデータとを比較し、それぞれの不足コンテンツを確認する（Ｓ３）。次に、それぞれに不足しているコンテンツデータをコピーし（Ｓ４）、電子機器のコンテンツのうち削除フラグが加えられたコンテンツデータを削除する（Ｓ５）。また、削除フラグが加えられていたコンテンツは、ＰＣ２において同期フラグを「Ｎｏ」と設定する（Ｓ６）。【選択図】図８
2009048393.tif 000002
【特許請求の範囲】
【請求項１】
コンテンツデータとコンテンツリストデータとからなるコンテンツを格納する記憶部と、
外部と情報を受送信する通信部と、
前記コンテンツを削除するよう操作された場合に、前記コンテンツデータを保持し、前記コンテンツに削除フラグを付与して、前記通信部を介して外部と通信した際に、前記コンテンツリストデータに基づいて前記コンテンツデータを外部へ移動した後、前記削除フラグに基づいて前記コンテンツデータを削除する制御部とを有することを特徴とする電子機器。
【請求項２】
コンテンツデータとコンテンツリストデータとからなるコンテンツを格納する記憶部と、
外部と情報を受送信する通信部と、
前記コンテンツを削除するよう操作された場合に、前記コンテンツデータを削除し、前記コンテンツに関連した情報を保持する制御部とを有することを特徴とする電子機器。
【請求項３】
前記記憶部は、前記コンテンツに関連した前記情報として、前記コンテンツのダウンロード元ＵＲＬを格納することを特徴とする請求項２に記載の電子機器。
【請求項４】
前記制御部は、前記記憶部に格納された前記コンテンツのダウンロード元ＵＲＬに基づいて、前記通信部を介してコンテンツデータをダウンロードして、前記コンテンツを復元することを特徴とする請求項２に記載の電子機器。
【請求項５】
第１のコンテンツデータと第１のコンテンツリストデータとからなる第１のコンテンツを格納し、外部と情報を受送信可能な電子機器と、
第２のコンテンツデータと第２のコンテンツリストデータとからなる第２のコンテンツを格納し、外部と情報を受送信可能な情報処理装置とを有し、
前記電子機器は、前記電子機器において前記第１のコンテンツを削除するよう操作された場合に、前記第１のコンテンツデータを保持し、前記第１のコンテンツに削除フラグを付与し、
前記情報処理装置は、前記電子機器と通信する際に、前記第１のコンテンツリストデータと前記第２のコンテンツリストデータとに基づいて、前記第１のコンテンツを前記情報処理装置にコピーして、前記第２のコンテンツを前記電子機器にコピーした後、前記第１のコンテンツの前記削除フラグに基づいて前記第１のコンテンツを削除することを特徴とするコンテンツ共有システム。
【請求項６】
前記情報処理装置は、前記削除フラグに基づいて前記第２のコンテンツに同期フラグを付与することを特徴とする請求項５に記載のコンテンツ共有システム。
【請求項７】
前記情報処理装置は、前記同期フラグの付与された前記第２のコンテンツを前記電子機器にコピーしないことを特徴とする請求項６に記載のコンテンツ共有システム。
【請求項８】
前記電子機器は、前記同期フラグを解除することで、前記第２のコンテンツから前記第１のコンテンツへコンテンツをコピーすることにより、コンテンツを復元することを特徴とする請求項６に記載のコンテンツ共有システム。
【発明の詳細な説明】
【技術分野】
【０００１】
本発明は、電子機器、およびコンテンツ共有システムに関する。
【背景技術】
【０００２】
従来の技術として、電子機器において削除を希望したコンテンツを、情報処理装置から再度その電子機器に転送することを防止する電子機器がある（例えば、特許文献１）。
【０００３】
この特許文献１の電子機器によると、コンテンツおよび削除予定リストを記憶する記憶部と、外部と情報を送受信する通信部とを有し、通信部を介して接続された情報処理装置とコンテンツを共有する。電子機器は、削除を希望するコンテンツの識別情報を削除予定リストに書き込み、情報処理装置と接続した際に削除予定リストを送信する。情報処理装置は、削除予定リストに基づいて電子機器内のコンテンツを削除し、削除したコンテンツの識別情報を情報処理装置内に削除リストとして登録する。情報処理装置は、削除リストに基づいて電子機器に削除したコンテンツを送信しないため、電子機器は、不要なデータを再び受信する必要がなくなる。
【特許文献１】特開２００７−４２１８２号公報
【発明の開示】
【発明が解決しようとする課題】
【０００４】
しかし、従来の電子機器によると、電子機器自身でコンテンツを削除したり、コンテンツを情報処理装置以外の外部から受信したりするようにした場合、電子機器と情報処理装置間でデータの共有に矛盾が生じ、情報処理装置のみで電子機器のコンテンツを管理できなくなるという問題がある。
【０００５】
従って、本発明の目的は、電子機器自身でコンテンツを受信および削除できるとともに、情報処理装置とコンテンツを共有することができる電子機器、およびコンテンツ共有システムを提供することにある。
【課題を解決するための手段】
【０００６】
（１）本発明は上記目的を達成するため、コンテンツデータとコンテンツリストデータとからなるコンテンツを格納する記憶部と、外部と情報を受送信する通信部と、前記コンテンツを削除するよう操作された場合に、前記コンテンツデータを保持し、前記コンテンツに削除フラグを付与して、前記通信部を介して外部と通信した際に、前記コンテンツリストデータに基づいて前記コンテンツデータを外部へ移動した後、前記削除フラグに基づいて前記コンテンツデータを削除する制御部とを有することを特徴とする電子機器を提供する。
【０００７】
このような構成によれば、電子機器においてコンテンツを削除する際に、コンテンツデータを保持して、コンテンツリストデータから削除し、削除フラグを加えて、外部と同期を行う際に、外部にコンテンツデータとしてバックアップ後、電子機器のコンテンツデータを削除するため、コンテンツデータが失われることなく、電子機器と外部とでコンテンツを共有することができる。
【０００８】
（２）また、本発明は上記目的を達成するため、コンテンツデータとコンテンツリストデータとからなるコンテンツを格納する記憶部と、外部と情報を受送信する通信部と、前記コンテンツを削除するよう操作された場合に、前記コンテンツデータを削除し、前記コンテンツに関連した情報を保持する制御部とを有することを特徴とする電子機器を提供する。
【０００９】
このような構成によれば、電子機器においてコンテンツを削除する際に、コンテンツデータを削除して、コンテンツリストデータ、およびコンテンツに関連した情報を保持したため、不要なコンテンツデータによって電子機器の記憶容量を占有することがない。
【００１０】
（３）また、本発明は上記目的を達成するため、第１のコンテンツデータと第１のコンテンツリストデータとからなる第１のコンテンツを格納し、外部と情報を受送信可能な電子機器と、第２のコンテンツデータと第２のコンテンツリストデータとからなる第２のコンテンツを格納し、外部と情報を受送信可能な情報処理装置とを有し、前記電子機器は、前記電子機器において前記第１のコンテンツを削除するよう操作された場合に、前記第１のコンテンツデータを保持し、前記第１のコンテンツに削除フラグを付与し、前記情報処理装置は、前記電子機器と通信する際に、前記第１のコンテンツリストデータと前記第２のコンテンツリストデータとに基づいて、前記第１のコンテンツを前記情報処理装置にコピーして、前記第２のコンテンツを前記電子機器にコピーした後、前記第１のコンテンツの前記削除フラグに基づいて前記第１のコンテンツを削除することを特徴とするコンテンツ共有システムを提供する。
【００１１】
このような構成によれば、電子機器においてコンテンツを削除する際に、コンテンツデータを保持して、コンテンツリストデータから削除し、削除フラグを加えて、情報処理装置と同期を行う際に、情報処理装置にコンテンツデータとしてバックアップ後、電子機器のコンテンツデータを削除するため、コンテンツデータが失われることなく、電子機器と情報処理装置とでコンテンツを共有することができる。
【発明の効果】
【００１２】
本発明によれば、電子機器自身でコンテンツを受信および削除しても、情報処理装置とコンテンツを共有することができる。
【発明を実施するための最良の形態】
【００１３】
以下に、本発明の電子機器の実施の形態を、図面を参照して詳細に説明する。
【００１４】
［第１の実施の形態］
（電子機器の構成）
図１は、本発明の第１の実施の形態に係る電子機器の接続を示す概略構成図である。
【００１５】
コンテンツ共有システム１０００は、携帯型メディアプレイヤとしての電子機器１と、情報処理装置としてのポータブルコンピュータ（以下、ＰＣ）２とから構成され、電子機器１とＰＣ２は、ＵＳＢケーブル６を介して接続され、それぞれの記憶部に格納するコンテンツを共有する。また、電子機器１は、無線ＬＡＮ（Ｌｏｃａｌ  Ａｒｅａ  Ｎｅｔｗｏｒｋ）を内蔵しており、アクセスポイント５を介してインターネット４に接続可能で、コンテンツサーバであるサーバ３のコンテンツリストデータ３０１を参照して、所望のコンテンツデータ３００をダウンロードすることができる。電子機器１は、コンテンツを内蔵した記憶部に格納しており、コンテンツを外部から追加したり、電子機器１において削除したり、再生したりすることができる。
【００１６】
ＰＣ２は、電子機器１と同様無線ＬＡＮを内蔵しており、サーバ３のコンテンツリストデータ３０１を参照して、所望のコンテンツデータ３００をダウンロードすることができる。ＰＣ１は、コンテンツを内蔵した記憶部に格納しており、コンテンツを外部から追加したり、ＰＣ２において削除したり、再生したりすることができる。
【００１７】
コンテンツリストデータ３０１は、随時更新されており、電子機器１、およびＰＣ２に登録されているコンテンツリストは、サーバ３との通信毎に自動で更新される。コンテンツリストが更新され、新たなコンテンツが追加されている場合は、サーバ３から追加されたコンテンツを電子機器１、およびＰＣ２に自動でダウンロードする。
【００１８】
図２は、本発明の第１の実施の形態に係る電子機器の構成を示す概略図である。
【００１９】
電子機器１は、無線ＬＡＮによって外部と通信する通信部１０と、音声ファイルや映像ファイル等のコンテンツデータ１００と格納しているコンテンツデータ１００を管理するコンテンツリストデータ１０１とを格納する記憶部１１と、各部を制御するとともにコンテンツ管理アプリケーション１２０を動作させてコンテンツデータ１００およびコンテンツリストデータ１０１を管理する制御部１２と、ＵＳＢ端子１３Ａを介して外部と通信するＩ／Ｆ部１３と、制御部１２において再生されたコンテンツデータ１００の音声信号をイヤホン１４Ａに音声として出力する音声出力部１４と、制御部１２において再生されたコンテンツデータ１００の映像信号を表示部１５Ａに映像として出力する表示出力部１５と、複数のスイッチからなる操作部１６とを有し、各部はバス１７によってそれぞれ接続されている。
【００２０】
図３は、本発明の第１の実施の形態に係るＰＣの構成を示す概略図である。
【００２１】
ＰＣ２は、無線ＬＡＮによって外部と通信する通信部２０と、音声ファイルや映像ファイル等のコンテンツデータ２００と格納しているコンテンツデータ２００を管理するコンテンツリストデータ２０１とを格納する記憶部２１と、各部を制御するとともにコンテンツ管理アプリケーション２２０を動作させてコンテンツデータ２００およびコンテンツリストデータ２０１を管理する制御部２２と、ＵＳＢ端子２３Ａを介して外部と通信するＩ／Ｆ部２３と、制御部２２において再生されたコンテンツデータ２００の音声信号をスピーカ２４Ａに音声として出力する音声出力部２４と、制御部２２において再生されたコンテンツデータ２００の映像信号を表示部２５Ａに映像として出力する表示出力部２５と、キーボードやトラックバッド等の入力装置からなる操作部２６とを有し、各部はバス２７によってそれぞれ接続されている。
【００２２】
図４（ａ）〜（ｃ）は、本発明の第１の実施の形態に係るコンテンツデータおよびコンテンツリストデータの構成を示す概略図である。
【００２３】
図４（ａ）は、電子機器１とＰＣ２とを同期させる前の状態を示しており、図４（ｂ）は、電子機器１においてコンテンツを削除した状態を示しており、図４（ｃ）は、図４（ｂ）の後、電子機器１とＰＣ２とを同期させた状態を示している。
【００２４】
電子機器１において、コンテンツの実データであるコンテンツデータ１００、コンテンツデータ１００の関連情報であるコンテンツリストデータ１０１、およびコンテンツを削除した場合に付与されるフラグである削除フラグ１０１ａは、それぞれコンテンツごとに関連づけられている。
【００２５】
また、同様にＰＣ２において、コンテンツの実データであるコンテンツデータ２００、コンテンツデータ２００の関連情報であるコンテンツリストデータ２０１、および電子機器１とデータを同期させるか否かを設定するフラグである同期フラグ２０１ａは、それぞれコンテンツごとに関連づけられている。
【００２６】
図５は、本発明の第１の実施の形態に係る電子機器の文字入力画面を示す概略図である。
【００２７】
電子機器１は、コンテンツをダウンロードする際、ダウンロード元であるホームページアドレスを表示部１５Ａに表示されるソフトウエアキーボード１５２を参照しながら、操作部１６をユーザーの手７によって操作することで文字を入力可能で、表示部１５Ａは、アルファベットと記号を表示切り替えするキーボード表示切り替え部１５０と、入力した文字を表示する入力部１５１と、文字やＣａｐｓ、Ｓｈｉｆｔ、およびＢａｃｋキー等を備えたソフトウエアキーボード１５２と、入力部１５１の文字入力完了を決定するＯＫボタン１５３と、文字入力をキャンセルするキャンセルボタン１５４とを有する。
【００２８】
図６は、本発明の第１の実施の形態に係る電子機器のメッセージ表示画面を示す概略図である。
【００２９】
電子機器１は、格納するコンテンツを電子機器１において削除する際、そのコンテンツがＰＣ２内に存在しないコンテンツである場合、ＰＣ２にバックアップする必要があるかどうかを確認するメッセージ１６０を表示部１５Ａに表示する。メッセージ１６０は、ＰＣ２にバックアップせずにコンテンツデータを削除する今すぐ削除ボタン１６１と、コンテンツデータをＰＣと接続するまで削除せずにＰＣ２に移動後削除するＰＣ２に移動後削除ボタン１６２と、コンテンツデータを削除しないキャンセルボタン１６３とを有する。
【００３０】
図７は、本発明の第１の実施の形態に係る電子機器のメッセージ表示画面を示す概略図である。
【００３１】
電子機器１は、電子機器１において削除したコンテンツで、そのコンテンツがＰＣ２内にバックアップされたコンテンツであった場合、電子機器１とＰＣ２をＵＳＢケーブル６で接続して同期させている際に、ＰＣ２からコンテンツを復元する必要があるかどうかを確認するメッセージ１７０を表示部１５Ａに表示する。メッセージ１７０は、削除したコンテンツを復元しない復元しないボタン１７１と、削除したコンテンツをすべて復元するすべて復元１７２ボタンと、削除したコンテンツを選択して復元する選択して復元ボタン１７３と、選択したボタンを今後ＰＣ２と同期させる際に適用するチェックボックス１７４とを有する。
【００３２】
（動作）
以下に、本発明の第１の実施の形態における電子機器の動作を各図を参照して説明する。
【００３３】
電子機器１のコンテンツ管理アプリケーション１２０は、無線ＬＡＮである通信部１０でアクセスポイント５と無線通信し、インターネット４に接続した後、図５に示すソフトウエアキーボード１５２を用いてＵＲＬを入力することにより、サーバ３からサーバ３が格納するコンテンツデータ３００のリストであるコンテンツリストデータ３０１をダウンロードして取得する。
【００３４】
次に、取得したコンテンツリストデータ３０１を記憶部１１にコンテンツリストデータ１０１として保存し、コンテンツリストデータ１０１に基づいてサーバ３からコンテンツデータ３００をダウンロードして取得する。電子機器１のコンテンツ管理アプリケーション１２０は、取得したコンテンツデータ３００を記憶部１１にコンテンツデータ１００として保存する。
【００３５】
また、電子機器１のコンテンツ管理アプリケーション１２０は、操作部１６を操作することでコンテンツデータ１００を削除することができるが、例えば図４（ａ）に示すようにコンテンツＡ、コンテンツＢ、およびコンテンツＥを格納している場合に、図６に示すＰＣに移動後削除ボタン１６２を選択してコンテンツＥを削除すると、図４（ｂ）に示すようにコンテンツＥをコンテンツリストデータ１０１から削除し、コンテンツデータ１００から削除せずに削除フラグ１０１ａを加える。
【００３６】
ＰＣ２のコンテンツ管理アプリケーション２２０は、電子機器１と同様にサーバ３からコンテンツリストデータ３０１とコンテンツデータ３００をダウンロードして取得でき、記憶部２１にコンテンツリストデータ２０１、およびコンテンツデータ２００として保存する。
【００３７】
電子機器１とＰＣ２のコンテンツ管理アプリケーション１２０、およびコンテンツ管理アプリケーション２２０は、ＵＳＢケーブル６を介して接続することでコンテンツリストデータ１０１とコンテンツリストデータ２０１とを比較して、お互いに不足しているコンテンツを確認し、コンテンツデータ１００とコンテンツデータ２００とからそれぞれへコピーすることにより同期を行う。
【００３８】
また、電子機器１とＰＣ２を同期させる際、ＰＣ２のコンテンツ管理アプリケーション２２０は、電子機器１の削除フラグ１０１ａを取得し、図４（ｃ）に示すように、削除フラグ１０１ａが加えられたコンテンツのコンテンツデータ１００をＰＣ２に移動してコンテンツデータ２００に加え、電子機器１から削除する。また、移動したコンテンツデータ２００には、同期フラグ２０１ａを「Ｎｏ」として、次回に電子機器１との同期を行う際に電子機器１にコピーしない。
【００３９】
図８は、本発明の第１の実施の形態に係るＰＣの動作を示すフローチャートである。
【００４０】
ＰＣ２のコンテンツ管理アプリケーション２２０は、電子機器１とＰＣ２とをＵＳＢケーブル６を介して接続することで同期を開始する（Ｓ１）。次に、ＰＣ２のコンテンツ管理アプリケーション２２０は、電子機器１からコンテンツリストデータ１０１を取得する（Ｓ２）。ＰＣ２のコンテンツ管理アプリケーション２２０は、コンテンツリストデータ１０１とコンテンツリストデータ２０１とを比較し、それぞれの不足コンテンツを確認する（Ｓ３）。次に、それぞれに不足しているコンテンツデータをコピーし（Ｓ４）、電子機器１のコンテンツのうち削除フラグ１０１ａが加えられたコンテンツデータ１００を削除する（Ｓ５）。また、削除フラグ１０１ａが加えられていたコンテンツは、ＰＣ２において同期フラグ２０１ａを「Ｎｏ」と設定する（Ｓ６）。
【００４１】
なお、電子機器１は、ＰＣ２と接続した際に図７に示すメッセージ１７０を表示し、電子機器１で削除してＰＣ２の同期フラグ２０１ａが「Ｎｏ」とされているコンテンツを復元するか確認することもできる。この際、すべて復元ボタン１７２、および選択して復元ボタン１７３を選択することにより、同期フラグ２０１ａの「Ｎｏ」を削除して、通常どおり電子機器１とＰＣ２でコンテンツをコピーすることができるようになる。
【００４２】
（第１の実施の形態の効果）
上記した第１の実施の形態によると、電子機器１においてコンテンツを削除する際に、コンテンツデータ１００を保持して、コンテンツリストデータ１０１から削除し、削除フラグ１０１ａを加えて、ＰＣ２と同期を行う際に、ＰＣ２にコンテンツデータ２００としてバックアップ後、コンテンツデータ１００を削除するため、コンテンツデータが失われることなく、電子機器１とＰＣ２とでコンテンツを共有することができる。
【００４３】
また、ＰＣ２から復元する機能を付加することで、電子機器１において削除したコンテンツの復元を容易に行うことができる。
【００４４】
〔第２の実施の形態〕
図９（ａ）〜（ｃ）は、本発明の第２の実施の形態に係るコンテンツデータおよびコンテンツリストデータの構成を示す概略図である。なお、以下の説明において、第１の実施の形態と同一の構成および機能を有する部分については共通の符号を付している。
【００４５】
電子機器１において、コンテンツの実データであるコンテンツデータ１００、コンテンツデータ１００の関連情報であるコンテンツリストデータ１０１、およびコンテンツのダウンロード元のホームページＵＲＬ（Ｕｎｉｆｏｒｍ  Ｒｅｓｏｕｒｃｅ  Ｌｏｃａｔｏｒ）であるコンテンツＵＲＬ１０１ｂは、それぞれコンテンツごとに関連づけられている。
【００４６】
図９（ａ）は、電子機器１においてコンテンツＡ、コンテンツＢ、コンテンツＥが格納されている状態を示しており、図９（ｂ）は、コンテンツリストデータ１０１からコンテンツＥを削除せずに、コンテンツＥのコンテンツデータ１００を削除して、コンテンツＵＲＬ１０ｂを保持している状態を示している。
【００４７】
図１０は、本発明の第２の実施の形態に係る電子機器のメッセージ表示画面を示す概略図である。
【００４８】
電子機器１は、格納するコンテンツを電子機器１において削除する際、そのコンテンツを完全に削除するかどうか確認するメッセージ１８０を表示部１５Ａに表示する。メッセージ１８０は、コンテンツのコンテンツデータ１００、コンテンツリストデータ１０１、およびコンテンツＵＲＬ１０１ｂをすべて削除する削除ボタン１８１と、コンテンツのコンテンツデータ１００のみ削除して、コンテンツリストデータ１０１とコンテンツＵＲＬ１０１ｂとを保持するＵＲＬを保存ボタン１８２と、コンテンツデータを削除しないキャンセルボタン１８３とを有する。
【００４９】
図１１は、本発明の第２の実施の形態に係る電子機器のメッセージ表示画面を示す概略図である。
【００５０】
電子機器１は、電子機器１においてコンテンツＵＲＬ１０１ｂを保持して削除したコンテンツがある場合、例えば、電子機器１とＰＣ２をＵＳＢケーブル６で接続して同期を行っている際に、ＵＲＬからコンテンツを再びダウンロードして復元する必要があるかどうかを確認するメッセージ１９０を表示部１５Ａに表示する。メッセージ１９０は、削除したコンテンツを復元しない復元しないボタン１９１と、削除したコンテンツをすべて復元するすべて復元ボタン１９２と、削除したコンテンツを選択して復元する選択して復元ボタン１９３と、選択したボタンを今後ＰＣ２との同期を行う際に適用するチェックボックス１９４とを有する。
【００５１】
（動作）
以下に、本発明の第２の実施の形態における電子機器の動作を各図を参照して説明する。
【００５２】
電子機器１のコンテンツ管理アプリケーション１２０は、操作部１６を操作することでコンテンツデータ１００を削除することができるが、例えば、図９（ａ）に示すようにコンテンツＡ、コンテンツＢ、およびコンテンツＥを格納している場合に、図１０に示すＰＣにＵＲＬを保存ボタン１８２を選択してコンテンツＥを削除すると、図９（ｂ）に示すようにコンテンツＥをコンテンツデータ１００から削除し、コンテンツリストデータ１０１から削除せずに「削除済」と記述し、コンテンツＥのダウンロード元であるコンテンツＵＲＬ１０１ｂを保持する。
【００５３】
電子機器１とＰＣ２のコンテンツ管理アプリケーション１２０、およびコンテンツ管理アプリケーション２２０は、ＵＳＢケーブル６を介して接続することでコンテンツリストデータ１０１とコンテンツリストデータ２０１とを比較して、お互いに不足しているコンテンツを確認し、コンテンツデータ１００とコンテンツデータ２００とからそれぞれへコピーすることにより同期を行う。
【００５４】
また、電子機器１とＰＣ２を同期させる際、ＰＣ２のコンテンツ管理アプリケーション２２０は、電子機器１の削除済コンテンツのコンテンツリストデータ１０１、およびコンテンツＵＲＬ１０１ｂを取得し、保存する。
【００５５】
図１２は、本発明の第２の実施の形態に係るＰＣの動作を示すフローチャートである。
【００５６】
ＰＣ２のコンテンツ管理アプリケーション２２０は、電子機器１とＰＣ２とをＵＳＢケーブル６を介して接続することで同期を開始する（Ｓ１０）。次に、ＰＣ２のコンテンツ管理アプリケーション２２０は、電子機器１からコンテンツリストデータ１０１を取得する（Ｓ１１）。ＰＣ２のコンテンツ管理アプリケーション２２０は、コンテンツリストデータ１０１とコンテンツリストデータ２０１とを比較し、それぞれの不足コンテンツを確認する（Ｓ１２）。次に、それぞれに不足しているコンテンツデータをコピーし（Ｓ１３）、電子機器１のコンテンツのうち削除されたコンテンツのコンテンツリストデータ１０１、およびコンテンツＵＲＬ１０１ｂをコピーして保存する（Ｓ１４）。
【００５７】
なお、電子機器１は、削除したコンテンツの復元を希望する場合に、操作部１６を操作することで図１１に示すメッセージ１９０を表示し、コンテンツＵＲＬ１０１ｂにアクセスして、コンテンツを再びダウンロードすることでコンテンツデータ１００を復元する。なお、この動作は、ＰＣ２においても同様に実行でき、ＰＣ２でのみ復元したい場合は、第１の実施の形態における同期フラグ２０１ａを「Ｎｏ」とすることで、電子機器１にコピーしない。
【００５８】
（第２の実施の形態の効果）
上記した第２の実施の形態によると、電子機器１においてコンテンツを削除する際に、コンテンツデータ１００を削除して、コンテンツリストデータ１０１、およびコンテンツＵＲＬ１０１ｂを保持したため、不要なコンテンツデータによって電子機器１の記憶容量を占有することがない。また、ＰＣ２との同期を行う際に、コンテンツデータ２００にコピーしないため、不要なコンテンツデータによってＰＣ２の記憶容量を占有することがない。
【００５９】
また、コンテンツＵＲＬ１０１ｂを保持したことにより、コンテンツデータを再びダウンロードすることで、容易にコンテンツを復元することができる。
【図面の簡単な説明】
【００６０】
【図１】本発明の第１の実施の形態に係る電子機器の接続を示す概略構成図である。
【図２】本発明の第１の実施の形態に係る電子機器の構成を示す概略図である。
【図３】本発明の第１の実施の形態に係るＰＣの構成を示す概略図である。
【図４】（ａ）〜（ｃ）は、本発明の第１の実施の形態に係るコンテンツデータおよびコンテンツリストデータの構成を示す概略図である。
【図５】本発明の第１の実施の形態に係る電子機器の文字入力画面を示す概略図である。
【図６】本発明の第１の実施の形態に係る電子機器のメッセージ表示画面を示す概略図である。
【図７】本発明の第１の実施の形態に係る電子機器のメッセージ表示画面を示す概略図である。
【図８】本発明の第１の実施の形態に係るＰＣの動作を示すフローチャートである。
【図９】（ａ）〜（ｃ）は、本発明の第２の実施の形態に係るコンテンツデータおよびコンテンツリストデータの構成を示す概略図である。
【図１０】本発明の第２の実施の形態に係る電子機器のメッセージ表示画面を示す概略図である。
【図１１】本発明の第２の実施の形態に係る電子機器のメッセージ表示画面を示す概略図である。
【図１２】本発明の第２の実施の形態に係るＰＣの動作を示すフローチャートである。
【符号の説明】
【００６１】
１…電子機器、２…ＰＣ、３…サーバ、４…インターネット、５…アクセスポイント、６…ＵＳＢケーブル、７…手、１０…通信部、１１…記憶部、１２…制御部、１３…Ｉ／Ｆ部、１３Ａ…ＵＳＢ端子、１４…音声出力部、１４Ａ…イヤホン、１５…表示出力部、１５Ａ…表示部、１６…操作部、１７…バス、２０…通信部、２１…記憶部、２２…制御部、２３…Ｉ／Ｆ部、２３Ａ…ＵＳＢ端子、２４…音声出力部、２４Ａ…スピーカ、２５…表示出力部、２５Ａ…表示部、２６…操作部、２７…バス、１００…コンテンツデータ、１０１…コンテンツリストデータ、１０１ａ…削除フラグ、１０１ｂ…コンテンツＵＲＬ、１２０…コンテンツ管理アプリケーション、１５０…キーボード表示切り替え部、１５１…入力部、１５２…ソフトウエアキーボード、１５３…ＯＫボタン、１５４…キャンセルボタン、１６０…メッセージ、１６１…削除ボタン、１６２…移動後削除ボタン、１６３…キャンセルボタン、１７０…メッセージ、１７１…復元しないボタン、１７２…すべて復元ボタン、１７３…選択して復元ボタン、１７４…チェックボックス、１８０…メッセージ、１８１…削除ボタン、１８２…ＵＲＬを保存ボタン、１８３…キャンセルボタン、１９０…メッセージ、１９１…復元しないボタン、１９２…すべて復元ボタン、１９３…選択して復元ボタン、１９４…チェックボックス、２００…コンテンツデータ、２０１…コンテンツリストデータ、２０１ａ…同期フラグ、２２０…コンテンツ管理アプリケーション、３００…コンテンツデータ、３０１…コンテンツリストデータ、１０００…コンテンツ共有システム
【図１】
2009048393.tif 000003
【図２】
2009048393.tif 000004
【図３】
2009048393.tif 000005
【図４】
2009048393.tif 000006
【図５】
2009048393.tif 000007
【図６】
2009048393.tif 000008
【図７】
2009048393.tif 000009
【図８】
2009048393.tif 000010
【図９】
2009048393.tif 000011
【図１０】
2009048393.tif 000012
【図１１】
2009048393.tif 000013
【図１２】
2009048393.tif 000014